(57)【要約】【課題】洗浄水とは性状の異なる第二洗浄水の吐水を行う洗浄装置において、メモリの使用量の増加や制御プログラムの複雑化を抑制する。【解決手段】本発明は、洗浄水及び第二洗浄水を吐水する吐水部６と、人体を検知する人体検知センサ２と、吐水部６の吐水及び止水を制御する制御部４と、を備える洗浄装置において、制御部４は、１日をある時間枠ごとに区分し、この区分されたある時間枠ごとの使用回数を記憶する使用回数記憶手段３０と、１日分の使用回数を記憶したときに使用回数記憶手段３０により記憶された過去のある時間枠ごとの使用回数を比較する比較手段３２と、比較手段３２により比較され使用回数が少ない所定の数の時間枠を動作時間枠として記憶する動作時間枠記憶手段３４と、動作時間枠記憶手段３４により記憶された時間枠において、第二洗浄水の吐水を行う除菌水自動吐水手段３６と、を有する。【選択図】  図２
2017043993.tif 000002
【特許請求の範囲】
【請求項１】
洗浄水を吐水する洗浄水側吐水部と、前記洗浄水とは性状の異なる第二洗浄水を吐水する第二洗浄水側吐水部と、人体を検知する人体検知センサと、前記人体検知センサによる検知に基づいて前記洗浄水側吐水部の吐水及び止水を制御する制御部と、を備える洗浄装置において、
前記制御部は、１日をある時間枠ごとに区分し、この区分されたある時間枠ごとの使用回数を記憶する使用回数記憶手段と、
１日分の使用回数を記憶したときに前記使用回数記憶手段により記憶された過去のある時間枠ごとの使用回数を比較する比較手段と、
前記比較手段により比較され使用回数が少ない所定の数の時間枠を動作時間枠として記憶する動作時間枠記憶手段と、
前記動作時間枠記憶手段により記憶された時間枠において、前記第二洗浄水側吐水部による第二洗浄水の吐水を行う自動吐水手段と、
を有する洗浄装置。
【請求項２】
前記制御部は、１日分の使用回数を記憶した時にその使用回数の合計が所定値以下の場合、この１日分の使用回数を使用回数記憶手段から削除し、前記動作時間枠記憶手段により記憶された前日の時間枠において、前記第二洗浄水側吐水部による第二洗浄水の吐水を行う請求項１に記載の洗浄装置。
【請求項３】
前記制御部は、前記所定値を前日の使用回数の合計又は数日間の使用回数の合計に基づく値とする請求項２に記載の洗浄装置。
【請求項４】
前記洗浄装置は小便器装置である請求項１乃至請求項３の何れか１項に記載の洗浄装置。
【発明の詳細な説明】
【技術分野】
【０００１】
本発明は、洗浄水の吐水を行う洗浄装置に関する。
【背景技術】
【０００２】
従来から、所定の局部洗浄位置に移動して人体の局部に向けて洗浄水を噴出するノズルと、水道水を電気分解して除菌水を生成する電解槽と、を備え、電解槽によって生成された除菌水によってノズルを洗浄する局部洗浄装置が知られている（例えば、特許文献１参照）。特許文献１に記載された局部洗浄装置では、電解槽における電気分解によって、水道水中の塩素イオンが殺菌作用のある成分である次亜塩素酸に化学変化し、除菌水として局部洗浄装置をクリーニングすることができる。このため、特にアンモニア等による汚れに対して効果的なクリーニングが可能となる。しかし、この除菌水が吐水されてから間もなく、使用者が装置を使用して洗浄水が吐水されると、除菌水がその効果を発揮せずに洗浄水によって流されてしまう。さらに、電解槽における電気分解を頻繁に繰り返し行うと、その分電解槽の寿命が短くなってしまう。従って、除菌水を吐水する最良のタイミングである装置の不使用時間帯に、効率的に自動で除菌水を吐水することが好適である。
【０００３】
ここで、従来から、人体検知センサによって人体を検知し、自動的に水栓の開閉制御を行う自動水栓が知られている（例えば特許文献２参照）。特許文献２に記載された自動水栓は、１日をある時間帯ごとに区分し、区分された時間帯ごとの自動水栓の使用回数を７日分記憶する。そして記憶された７日分の使用回数の統計に基づいて、区分された時間帯ごとにセンサの駆動周期を長くしたり短くしたりする制御を行う。
【０００４】
除菌水を吐水する最良のタイミングである装置の不使用時間帯に、効率的に自動で除菌水を吐水するために、この特許文献２に記載された制御を特許文献１の局部洗浄装置に適用する方法が考えられる。具体的には、まず、１日をある時間帯ごとに区分し、区分された時間帯ごとの使用回数を７日分記憶する。そして記憶された７日分の使用回数の統計に基づいて、区分された時間帯の中で最も装置が使用されてない時間帯を算出し、その時間帯に除菌水を自動的に吐水する。
【先行技術文献】
【特許文献】
【０００５】
【特許文献１】特許第３４８７４４７号公報
【特許文献２】特開２００３−２７８２００号公報
【発明の概要】
【発明が解決しようとする課題】
【０００６】
しかしながら、特許文献２に記載された制御を特許文献１に適用する場合、数日分のデータを蓄積しなければならないので、数日分のデータが蓄積されるまでは制御が行われない、且つ、メモリの使用量の増加や制御プログラムが複雑化してしまうといった懸念がある。
【０００７】
そこで、本発明は、上記課題を解決するためになされたものであり、１日分のデータで制御を行いつつ、メモリの使用量の増加や制御プログラムの複雑化を抑制する洗浄装置の提供を目的としている。
【課題を解決するための手段】
【０００８】
本発明の一態様に係る洗浄装置は、洗浄水を吐水する洗浄水側吐水部と、洗浄水とは性状の異なる第二洗浄水を吐水する第二洗浄水側吐水部と、人体を検知する人体検知センサと、人体検知センサによる検知に基づいて洗浄水側吐水部の吐水及び止水を制御する制御部と、を備える洗浄装置において、制御部は、１日をある時間枠ごとに区分し、この区分されたある時間枠ごとの使用回数を記憶する使用回数記憶手段と、１日分の使用回数を記憶したときに使用回数記憶手段により記憶された過去のある時間枠ごとの使用回数を比較する比較手段と、比較手段により比較され使用回数が少ない所定の数の時間枠を動作時間枠として記憶する動作時間枠記憶手段と、動作時間枠記憶手段により記憶された時間枠において、第二洗浄水側吐水部による第二洗浄水の吐水を行う自動吐水手段と、を有する。
【０００９】
この構成によれば、１日の区分された時間枠ごとの使用回数を学習データとして記憶し、それを元に自動吐水手段によって吐水部から第二洗浄水の吐水を行う。つまり、１週間分やそれ以上の学習データを保存することなく、１日分のデータだけを学習データとして記憶し、それを元に制御を行う。そのため、１日分のデータのみで学習制御を行えると共に、メモリの使用量を減少させ、制御プログラムを簡素化することができる。
【００１０】
本発明の一態様に係る洗浄装置において、好ましくは、制御部は、１日分の使用回数を記憶した時にその使用回数の合計が所定値以下の場合、この１日分の使用回数を使用回数記憶手段から削除し、動作時間枠記憶手段により記憶された前日の時間枠において、第二洗浄水側吐水部による第二洗浄水の吐水を行う。
【００１１】
この構成によれば、制御部は、１日分の使用回数を記憶した時にその使用回数の合計が所定位置以下の場合、この１日分の使用回数を使用回数記憶手段から削除するので、例えば、休日などで使用者が極端に少ない場合のデータを元に制御を行わない。そのため、より正確な時間枠に、第二洗浄水の吐水を行うことができる。
【００１２】
本発明の一態様に係る洗浄装置において、好ましくは、制御部は、所定値を前日の使用回数の合計又は数日間の使用回数の合計に基づく値とする。
【００１３】
この構成によれば、前日の使用回数の合計又は数日間の使用回数の合計に基づく値を、１日の使用回数を記憶するか否かの基準値とする。そのため、より正確な時間枠に第二洗浄水の吐水を行うことができる。
【００１４】
本発明の一態様に係る洗浄装置において、好ましくは、洗浄装置は小便器装置である。
【００１５】
この構成によれば、１日分のデータのみで学習制御を行えると共に、第二洗浄水の吐水を行う小便器装置のメモリの使用量を減少させ、制御プログラムを簡素化することができる。
【発明の効果】
【００１６】
本発明によれば、洗浄水及び第二洗浄水の吐水を行う洗浄装置において、メモリの使用量を減少させ、制御プログラムを簡素化することができる。
【図面の簡単な説明】
【００１７】
【図１】本発明の一実施形態に係る小便器装置の概略側面図である。
【図２】本発明の一実施形態に係る小便器装置の構成を示すブロック図である。
【図３】本発明の一実施形態に係る小便器装置の学習制御において、初期状態から学習後までの制御部の一部の記憶領域の状態の一例を表した図である。
【図４】本発明の一実施形態に係る除菌水吐水処理の第一の動作を示す、フローチャートである。
【図５】本発明の一実施形態に係る除菌水吐水処理の第二の動作を示す、フローチャートである。
【図６】本発明の一実施形態に係る除菌水吐水処理の第三の動作を示す、フローチャートである。
【図７】本発明の一実施形態に係る除菌水吐水処理の第四の動作を示す、フローチャートである。
【発明を実施するための形態】
【００１８】
以下、本発明の一実施形態に係る洗浄装置について添付図面を参照しながら説明する。なお、各図面中、同様の構成要素には同一の符号を付して詳細な説明は適宜省略する。
【００１９】
洗浄装置からは「性状の異なる」２種類の洗浄水が吐水される。「性状の異なる第二洗浄水」とは、そのうちの一方の洗浄水である。「性状の異なる」洗浄水とは、一方の洗浄水に対して機能や性質が異なる洗浄水および、一方の洗浄水に対して吐水形態が異なる洗浄水、またはそのどちらも異なる洗浄水である。
具体的には、一方の洗浄水に対して機能や性質が異なる洗浄水とは、例えば、水の電気分解等によって生成される次亜塩素酸を含む除菌水や、銀イオンなどの金属イオンが添加された洗浄水、薬液が添加された洗浄水などである。また、一方の洗浄水に対して吐水形態が異なる洗浄水とは、吐水位置や、吐水範囲、吐水量が異なる洗浄水である。
【００２０】
＜小便器装置の構成＞
まず、図１及び図２を参照して、本発明の一実施形態に係る洗浄装置について説明する。なお、本実施形態において、小便器装置１が洗浄装置としての機能を果たす。また、本実施形態において、除菌水が第二洗浄水としての機能を果たす。
【００２１】
図１は、本発明の一実施形態に係る小便器装置の概略側面図である。図２は、本発明の一実施形態に係る小便器装置の構成を示すブロック図である。
【００２２】
図１に示すように、小便器装置１は、人体検知センサ２と、制御部４と、吐水部６と、を備えている。この人体検知センサ２によって使用者を検知し、検知状態を制御部４に伝達する。制御部４はこれを受けて、吐水部６からの洗浄水もしくは除菌水の吐水及び止水を制御している。
【００２３】
なお、本願明細書において、「除菌水」とは、例えば次亜塩素酸などの殺菌成分を洗浄水（水道水）よりも多く含む液をいうものとする。
【００２４】
小便器装置１は、使用者の尿を受けるボウル部８を有しており、ボウル部８の上方には、給水源１０から供給される洗浄水を吐水する吐水部６が設けられている。この吐水部６には、給水源１０からの洗浄水を供給するための給水路１２が接続されている。
ボウル部８の下方には、ボウル部８に吐水された洗浄水を一時的に貯留するトラップ部１４が設けられている。このトラップ部１４の下流には、使用者の尿または洗浄水を外部へ輸送するための排水路１６が接続されている。トラップ部１４に貯留された水は、排水路１６側からボウル部８側に悪臭が侵入することを防止しており、吐水部６から吐水された洗浄水または除菌水の水量に応じて、トラップ部１４に連通する排水口１８から排水路１６へ適宜排出される。
【００２５】
＜人体検知センサの構成＞
図２に示すように、人体検知センサ２は、送信部２０と、受信部２２と、検出信号生成部２４と、を有する。送信部２０は、検出対象物、例えば人体や尿流を検出しようとする検出領域に送信波を送信する。送信部２０から送信される送信波は、例えばマイクロ波などの高周波の電波である。そして、検出領域の検出対象物、例えば人体や尿流によって反射された反射波を受信部２２が受信する。
【００２６】
送信部２０から送信される送信波の一部と、受信部２２が受信する反射波は、検出信号生成部２４にそれぞれ入力される。検出信号生成部２４は、入力された送信部２０から送信される送信波の一部と、受信部２２が受信する反射波と、に基づいて検出信号を生成する。そして、この検出信号が検出信号生成部２４から制御部４へ出力される。
【００２７】
＜制御部の構成＞
制御部４は、信号受信手段２６と、洗浄水自動吐水手段２８と、使用回数記憶手段３０と、比較手段３２と、動作時間枠記憶手段３４と、除菌水自動吐水手段３６と、を有する。
【００２８】
制御部４の信号受信手段２６は、検出信号生成部２４から出力される検出信号を受信する。この検出信号に基づいて小便器装置１が使用されたか否かを判定する。信号受信手段２６によって小便器装置１が使用されたと判定されると、洗浄水自動吐水手段２８及び使用回数記憶手段３０に信号が適宜送信される。
【００２９】
洗浄水自動吐水手段２８は、信号受信手段２６から送信される信号を受信すると、その信号に基づいて後述する洗浄水側電磁弁３８を開閉する制御を行う。例えば、小便器装置１が使用されたと判定された信号を洗浄水自動吐水手段２８が受信すると、洗浄水側電磁弁３８を所定時間開かれる。
なお、小便器装置１が使用されたとする判定は、人体検知センサ２が人体と尿流の両方を検知した場合であってもよいし、人体のみを検知した場合であってもよい。
【００３０】
使用回数記憶手段３０は、信号受信手段２６から小便器装置１が使用された旨の信号を受信し、小便器装置１が使用された回数、つまり、洗浄水自動吐水手段２８によって洗浄水側電磁弁３８が開かれて洗浄水をボウル部８へ吐水した回数を記憶する。また、使用回数記憶手段３０は、１日（２４時間）を２時間の時間枠ごとに区分し、この区分された２時間の時間枠ごとの小便器装置１の使用回数を記憶する。記憶した使用回数の情報は、比較手段３２に送信される。さらに、使用回数記憶手段３０には、１日（全時間枠）の使用回数の和も別途記憶される。
【００３１】
また、使用回数記憶手段３０は、１日（２４時間）分の使用回数を記憶したときに、その１日の使用回数の合計が所定値以下の場合、この１日分の使用回数を削除する。この所定値は、前日の使用回数の合計もしくは数日間の使用回数の合計に基づいて設定される。
詳しくは後述するが、この場合、前日に動作回数記憶手段３４に記憶された学習値をそのまま翌日にも反映させる。
【００３２】
比較手段３２は、２時間の時間枠ごとに区分された使用回数の１日分のデータを使用回数記憶手段３０から受信する。この受信データに基づいて、２時間の時間枠ごとの使用回数を比較し、１日の中で小便器装置１の使用回数が少ない時間枠を６枠算出する。算出した６枠の時間枠の情報は、動作時間枠記憶手段３４に送信される。
【００３３】
動作時間枠記憶手段３４は、比較手段３２によって比較され算出された、使用回数が少ない６枠の時間枠を学習値として記憶する。そして、１日分のデータを取得した翌日、動作時間枠記憶手段３４により学習値として記憶した時間枠において、動作時間枠記憶手段３４から除菌水自動吐水手段３６へ除菌水洗浄時間である旨の信号が送られる。除菌水自動吐水手段３６がこの信号を受信すると、後述する除菌水側電磁弁４２を開くように制御する。除菌水側電磁弁４２が開かれると、除菌水側吐水部４６からボウル部８へ除菌水が吐水される。つまり、１日（２４時間）の内に６回、除菌水側吐水部４６からボウル部８へ除菌水が吐水される。除菌水側電磁弁４２が開いて除菌水を吐水してから所定時間が経過すると、自動で除菌水側電磁弁４２が閉じられる。
なお、除菌水を吐水する時間は約７０秒間で設定している。
【００３４】
制御部４は、計時タイマ３７をさらに有し、小便器装置１に電源が投入される、もしくは、制御部４が起動することによって、この計時タイマ３７による時間の計測が開始される。
計時タイマ３７には、設定されてから２時間（１つの時間枠）が経過したか否かを判断するための２時間タイマと、設定されてから一定時間（１週間）が経過したか否かを判断するための学習値リセットタイマと、が設けられている。
【００３５】
＜吐水部の構成＞
吐水部６は、洗浄水の吐水及び止水を行う洗浄水側電磁弁３８と、洗浄水を吐水する洗浄水側吐水部４０と、除菌水の吐水及び止水を行う除菌水側電磁弁４２と、除菌水を生成する電解槽４４と、除菌水を吐水する除菌水側吐水部４６と、を有する。
【００３６】
給水源１０から延びて吐水部６に接続されている給水路１２は、二股に分岐して洗浄水側電磁弁３８と、除菌水側電磁弁４２とにそれぞれ接続される。
給水路１２を介して給水源１０に接続されている洗浄水側電磁弁３８は、洗浄水自動吐水手段２８からの指令によって開閉制御される。また、洗浄水側電磁弁３８の下流側には、ボウル部８へ洗浄水を吐水する洗浄水側吐水部４０が設けられている。洗浄水自動吐水手段２８によって洗浄水側電磁弁３８が開かれると、洗浄水側吐水部４０からボウル部８へ洗浄水が吐水される。そして、洗浄水が吐水されてから所定時間経過すると、洗浄水自動吐水手段２８によって洗浄水側電磁弁３８が閉じられ、洗浄水側吐水部４０からボウル部８への洗浄水の供給が停止する。
【００３７】
分岐したもう一方の給水路１２は除菌水側電磁弁４２に接続されており、除菌水側電磁弁４２は除菌水自動吐水手段３６からの指令によって開閉制御される。また、除菌水側電磁弁４２の下流側には電解槽４４が設けられている。電解槽４４には、給水源１０からの洗浄水が貯留される。この電解槽４４の内部には、一対の電極板（図示せず）が設けられており、これら電極板の間に電圧を印加することにより、水を電気分解する。このとき、片方の電極板が陰極となり、もう一方の電極板が陽極となる。水道水には塩素イオンが含まれているため、水道水を電気分解することにより、陽極側の電極板では塩素が発生する。このようにして発生した塩素は水に溶解し、さらに水に溶解した塩素イオンが電気分解されることにより、次亜塩素酸が発生する。このようにして、電解槽４４は次亜塩素酸を含む除菌水を生成することができる。
【００３８】
電解槽４４の下流側には、除菌水側吐水部４６が設けられている。除菌水自動吐水手段３６によって除菌水側電磁弁４２が開かれると、上流の給水源１０から電解槽４４へ水が流入する。流入した水に押し出されるように、電解槽４４で生成した除菌水が除菌水側吐水部４６からボウル部８へ吐水される。そして、除菌水が吐水されてから所定時間が経過すると、除菌水自動吐水手段３６によって除菌水側電磁弁４２が閉じられ、除菌水側吐水部４６からボウル部８への除菌水の供給が停止する。
【００３９】
＜制御部の記憶領域＞
ここで、制御部４が学習値を記憶するまでの過程の例を、図３を用いて説明する。図３は、小便器装置の学習制御において、初期状態から学習後までの制御部４の一部の記憶領域の状態の一例を表した図である。
【００４０】
図３に示すように、制御部４の初期状態、小便器装置１が１日の使用回数の記録を行う前の状態において、制御部４の一部の記憶領域（図示せず）は、各時間枠の小便器装置１の使用回数及び学習値は何も記憶されていない状態となっている。
小便器装置１の使用回数の制御部４の記憶領域に使用回数記憶手段３０によって記憶が開始されると、２時間（１枠）毎に小便器装置１の使用回数を記憶していく。そして、小便器装置１の使用回数の記憶が開始されてから２４時間が経過すると、全時間枠の使用回数が記憶される。
【００４１】
記憶された使用回数を基に、比較手段３２によって全時間枠の中で使用回数の少ない枠から順に６枠算出する。そして、動作時間枠記憶手段３４によって算出した６枠の時間枠を学習値として記憶し、翌日その時間枠に除菌水を吐水する。なお、全時間枠の中で使用回数の少ない時間枠が重複した場合、使用回数の少ない時間枠の中でも早い時間の時間枠を学習値に記憶する。
【００４２】
＜動作＞
以上のように構成された小便器装置において、除菌水吐水処理の動作を、図４〜図７を用いて具体的に説明する。図４は、本発明の一実施形態に係る除菌水吐水処理の第一の動作を示す、フローチャートである。図５は、本発明の一実施形態に係る除菌水吐水処理の第二の動作を示す、フローチャートである。図６は、本発明の一実施形態に係る除菌水吐水処理の第三の動作を示す、フローチャートである。図７は、本発明の一実施形態に係る除菌水吐水処理の第四の動作を示す、フローチャートである。
なお、図４〜図７において、時間枠のカウント数をＮ（Ｎ＝０〜１２）とする。
また、後述する第一の動作〜第四の動作は、計時タイマ３７によって計測された１秒ごとに行われる。
【００４３】
＜第一の動作＞
はじめに、除菌水吐水処理の第一の動作を、図４を用いて説明する。図４に示すように、除菌水吐水処理の第一の動作は、全体としてステップＳ１０１〜Ｓ１０９からなる処理である。
【００４４】
まず、除菌水吐水処理の第一の動作が開始されると、ステップＳ１０１の処理が行われる。ここで、除菌水吐水処理が最初に開始されるタイミングは、使用回数記憶手段によって小便器装置１の使用回数が記憶され始めた時点を指す。ステップＳ１０１において、図示しない２時間タイマによって除菌水吐水処理の第一の動作開始から２時間、つまり、１つの時間枠に該当する時間が経過すると、ステップＳ１０２へ進む。一方、２時間タイマによって計測されている時間が２時間を経過していない場合は、除菌水吐水処理が終了する。
なお、使用回数記憶手段によって小便器装置１の使用回数が記憶され始めた時点から、２時間タイマの計測が開始される。
【００４５】
つづいて、ステップＳ１０２において、２時間タイマが再設定（リセット）され、１枠の時間枠である２時間の計測が再び開始される。ステップＳ１０２の処理を終えるとそのままステップＳ１０３へと進む。
ステップＳ１０３において、１枠の時間枠（２時間）における小便器装置１の使用回数が使用回数記憶手段３０によって記憶される。ステップＳ１０３の処理を終えるとそのままステップＳ１０４へ進む。
ステップ１０４において、時間枠のカウント数Ｎに１が足され、そのままステップ１０５へ進む。
なお、時間枠のカウント数Ｎの初期値は０である。
【００４６】
つづいて、ステップ１０５において、時間枠のカウント数Ｎが１２と等しくなる、つまり１日（２４時間）分の小便器装置１の使用回数が時間枠ごとに記憶されると、ステップ１０６へ進む。一方、時間枠のカウント数Ｎが１１以下である、つまり、１日（２４時間）分の小便器装置１の使用回数が記憶されていない場合は、後述するステップ１０８へ進む。
【００４７】
つづいて、ステップ１０６において、時間枠のカウント数Ｎを初期値である０にリセットする。ステップ１０６の処理を終えるとそのままステップ１０７へ進む。
ステップ１０７において、比較手段３２によって１日（２４時間）の時間枠の中で小便器装置の使用回数が少ない方から６枠算出される。算出された６枠の時間枠は、学習値として動作時間枠記憶手段３４によって記憶される。ステップ１０７の処理を終えるとそのままステップＳ１０８へ進む。
【００４８】
つづいて、ステップＳ１０８において、動作時間枠記憶手段３４によって記憶された学習値より、現在が除菌水の洗浄を行う時間枠である場合は、ステップＳ１０９へ進む。一方、動作時間枠記憶手段３４によって記憶された学習値より、現在が除菌水の洗浄を行う時間枠でない場合は、除菌水吐水処理が終了する。
【００４９】
なお、小便器装置１の電源投入後から２４時間が経過するまでの間においては、小便器装置１の電源投入後から連続して１日分の除菌水の吐水を行う。具体的には、電源投入後から連続した６つの時間枠（例えば、図３における時間枠１〜６の時間枠）に除菌水の吐水が行われる。
【００５０】
ステップＳ１０９において、動作時間枠記憶手段３４から除菌水自動吐水手段３６へ除菌水洗浄時間である旨の信号が送られ、ボウル部８へ除菌水が吐水される。ステップＳ１０９の処理が終了すると除菌水吐水処理が終了する。
なお、小便器装置１の電源が落とされるまでは、除菌水吐水処理の終了後、再びステップＳ１０１へと戻る。
【００５１】
＜第二の動作＞
つぎに、除菌水吐水処理の第二の動作を、図５を用いて説明する。図５に示すように、除菌水吐水処理の第二の動作は、全体としてステップＳ２０１〜Ｓ２１２からなる処理である。
なお、ステップＳ２０１〜Ｓ２０４までの動作は、前述した除菌水吐水処理の第一の動作におけるステップＳ１０１〜Ｓ１０４までの動作と同じであるため、説明を省略する。
【００５２】
ステップ２０５において、時間枠のカウント数Ｎが１２と等しくなる、つまり１日（２４時間）分の小便器装置１の使用回数が時間枠ごとに記憶されると、ステップ２０６へ進む。一方、時間枠のカウント数Ｎが１１以下である、つまり、１日（２４時間）分の小便器装置１の使用回数が記憶されていない場合は、後述するステップＳ２１１へ進む。
【００５３】
つづいて、ステップＳ２０６において、時間枠のカウント数Ｎを初期値である０にリセットする。ステップＳ２０６の処理を終えるとそのままステップＳ２０７へ進む。
ステップＳ２０７において、使用回数記憶手段３０によって全ての時間枠における小便器装置１の使用回数の合計、つまり、１日（２４時間）の小便器装置１の使用回数を算出する。ステップＳ２０７を終えるとそのままステップＳ２０８へ進む。
【００５４】
つづいて、ステップＳ２０８において、全ての時間枠における小便器装置１の使用回数の合計が一定回数以下の場合は、ステップＳ２０９へ進む。一方、全ての時間枠における小便器装置１の使用回数の合計が一定回数よりも多い場合は、ステップＳ２１０へ進む。
なお、ここでの一定回数とは、０回、もしくは、管理者等によって設定された回数である。
【００５５】
つづいて、ステップＳ２０９において、その日記憶した全ての時間枠における小便器装置１の使用回数を削除し、１日（２４時間）分の使用回数を記憶する前日の学習値を再び学習値に採用する。ステップＳ２０９の処理を終えるとそのままステップＳ２１１へ進む。
ステップＳ２０８からステップＳ２０９までの動作は、言い換えると、２４時間分の使用回数を記憶した時点で、全時間枠の使用回数の和が一定回数以下の場合はその日を休日とみなす。そして、その日のデータは学習値としては採用せずに削除し、前日のデータを学習値として継続して採用する。
【００５６】
つづいて、ステップＳ２１０において、比較手段３２によって１日（２４時間）の時間枠の中で小便器装置の使用回数が少ない方から６枠算出される。算出された６枠の時間枠は、学習値として動作時間枠記憶手段３４によって記憶される。ステップＳ２１０の処理を終えるとそのままステップＳ２１１へ進む。
【００５７】
つづいて、ステップＳ２１１において、動作時間枠記憶手段３４によって記憶された学習値より、現在が除菌水の洗浄を行う時間枠である場合は、ステップＳ２１２へ進む。一方、動作時間枠記憶手段３４によって記憶された学習値より、現在が除菌水の洗浄を行う時間枠でない場合は、除菌水吐水処理が終了する。
【００５８】
なお、小便器装置１の電源投入後から２４時間が経過するまでの間においては、小便器装置１の電源投入後から連続して１日分の除菌水の吐水を行う。具体的には、電源投入後から連続した６つの時間枠（例えば、図３における時間枠１〜６の時間枠）に除菌水の吐水が行われる。
【００５９】
ステップＳ２１２において、動作時間枠記憶手段３４から除菌水自動吐水手段３６へ除菌水洗浄時間である旨の信号が送られ、ボウル部８へ除菌水が吐水される。ステップＳ２１２の処理が終了すると除菌水吐水処理が終了する。
なお、小便器装置１の電源が落とされるまでは、除菌水吐水処理の終了後、再びステップＳ２０１へと戻る。
【００６０】
＜第三の動作＞
つぎに、除菌水吐水処理の第三の動作を、図６を用いて説明する。図６に示すように、除菌水吐水処理の第三の動作は、全体としてステップＳ３０１〜Ｓ３１２からなる処理である。
なお、ステップＳ３０１〜Ｓ３０７までの動作は、前述した除菌水吐水処理の第二の動作におけるステップＳ２０１〜Ｓ２０７までの動作と同じであるため、説明を省略する。
【００６１】
ステップＳ３０８において、全ての時間枠における小便器装置１の使用回数の合計が所定値以下の場合は、ステップＳ３０９へ進む。一方、全ての時間枠における小便器装置１の使用回数の合計が所定値よりも多い場合は、ステップＳ３１０へ進む。
なお、ここでの所定値とは、現在学習値に使用している日の使用回数の合計に基づいて算出される値である。
【００６２】
つづいて、ステップＳ３０９において、その日記憶した全ての時間枠における小便器装置１の使用回数を削除し、１日（２４時間）分の使用回数を記憶する前日の学習値を再び学習値に採用する。ステップＳ３０９の処理を終えるとそのままステップＳ３１１へ進む。
ステップＳ３０８からステップＳ３０９までの動作は、言い換えると、２４時間分の使用回数を記憶した時点で、全時間枠の使用回数の和が一定回数以下の場合はその日を休日とみなす。そして、その日のデータは学習値としては採用せずに削除し、前日の学習値を今回の学習値として継続して採用する。
【００６３】
つづいて、ステップＳ３１０において、比較手段３２によって１日（２４時間）の時間枠の中で小便器装置の使用回数が少ない方から６枠算出される。算出された６枠の時間枠は、学習値として動作時間枠記憶手段３４によって記憶される。ステップＳ３１０の処理を終えるとそのままステップＳ３１１へ進む。
【００６４】
つづいて、ステップＳ３１１において、動作時間枠記憶手段３４によって記憶された学習値より、現在が除菌水の洗浄を行う時間枠である場合は、ステップＳ３１２へ進む。一方、動作時間枠記憶手段３４によって記憶された学習値より、現在が除菌水の洗浄を行う時間枠でない場合は、除菌水吐水処理が終了する。
【００６５】
なお、小便器装置１の電源投入後から２４時間が経過するまでの間においては、小便器装置１の電源投入後から連続して１日分の除菌水の吐水を行う。具体的には、電源投入後から連続した６つの時間枠（例えば、図３における時間枠１〜６の時間枠）に除菌水の吐水が行われる。
【００６６】
ステップＳ３１２において、動作時間枠記憶手段３４から除菌水自動吐水手段３６へ除菌水洗浄時間である旨の信号が送られ、ボウル部８へ除菌水が吐水される。ステップＳ３１２の処理が終了すると除菌水吐水処理が終了する。
なお、小便器装置１の電源が落とされるまでは、除菌水吐水処理の終了後、再びステップＳ３０１へと戻る。
【００６７】
＜第四の動作＞
つぎに、除菌水吐水処理の第四の動作を、図７を用いて説明する。図７に示すように、除菌水吐水処理の第四の動作は、全体としてステップＳ４０１〜Ｓ４１４からなる処理である。
なお、ステップＳ４０１〜Ｓ４０７までの動作は、前述した除菌水吐水処理の第一の動作におけるステップＳ３０１〜Ｓ３０７までの動作と同じであるため、説明を省略する。
【００６８】
ステップＳ４０８において、全ての時間枠における小便器装置１の使用回数の合計が所定値以下の場合は、ステップＳ４０９へ進む。一方、全ての時間枠における小便器装置１の使用回数の合計が所定値よりも多い場合は、ステップＳ４１１へ進む。
なお、ここでの所定値とは、現在学習値に使用している日の使用回数の合計に基づいて算出される値である。
【００６９】
つづいて、ステップＳ４０９において、学習値リセットタイマ（図示せず）が一定時間（１週間）経過したか否かを判定する。学習値リセットタイマが一定時間経過していない場合はステップＳ４１０へ進む。一方、学習値リセットタイマが一定時間経過した場合は、ステップＳ４１１へ進む。
なお、学習値リセットタイマにおける一定時間は１週間として設定されているが、この一定時間は管理者等によって適宜選択されるものであり、これに限定されるものではなく、例えば２週間や１ヶ月間でもよい。
【００７０】
つづいて、ステップＳ４１０において、その日記憶した全ての時間枠における小便器装置１の使用回数を削除し、１日（２４時間）分の使用回数を記憶する前日の学習値を再び学習値に採用する。ステップＳ４１０の処理を終えるとそのままステップＳ４１３へ進む。
【００７１】
つづいて、ステップＳ４１１において、学習値リセットタイマが再設定（リセット）される。ステップＳ４１１の処理を終えると、そのままステップＳ４１２へ進む。
【００７２】
つづいて、ステップＳ４１２において、比較手段３２によって１日（２４時間）の時間枠の中で小便器装置の使用回数が少ない方から６枠算出される。算出された６枠の時間枠は、学習値として動作時間枠記憶手段３４によって記憶される。ステップＳ４１２の処理を終えるとそのままステップＳ４１３へ進む。
【００７３】
つづいて、ステップＳ４１３において、動作時間枠記憶手段３４によって記憶された学習値より、現在が除菌水の洗浄を行う時間枠である場合は、ステップＳ４１４へ進む。一方、動作時間枠記憶手段３４によって記憶された学習値より、現在が除菌水の洗浄を行う時間枠でない場合は、除菌水吐水処理が終了する。
【００７４】
なお、小便器装置１の電源投入後から２４時間が経過するまでの間においては、小便器装置１の電源投入後から連続して１日分の除菌水の吐水を行う。具体的には、電源投入後から連続した６つの時間枠（例えば、図３における時間枠１〜６の時間枠）に除菌水の吐水が行われる。
【００７５】
ステップＳ４１４において、動作時間枠記憶手段３４から除菌水自動吐水手段３６へ除菌水洗浄時間である旨の信号が送られ、ボウル部８へ除菌水が吐水される。ステップＳ４１４の処理が終了すると除菌水吐水処理が終了する。
なお、小便器装置１の電源が落とされるまでは、除菌水吐水処理の終了後、再びステップＳ３０１へと戻る。
【００７６】
＜作用・効果＞
上述した本発明の一実施形態による小便器装置１によれば、１日の区分された時間枠ごとの使用回数を学習データとして記憶し、それを元に除菌水自動吐水手段３６によって吐水部６から除菌水の吐水を行う。つまり、１週間分やそれ以上の学習データを保存することなく、１日分のデータだけを学習データとして記憶し、それを元に制御を行う。そのため、１日分のデータのみで学習制御を行えると共に、メモリの使用量を減少させ、制御プログラムを簡素化することができる。このように１日分のデータで制御を行えるため、例えば、毎週末電源を切られるような現場においても、学習制御を反映させることができる。
【００７７】
また、上述した本発明の一実施形態による小便器装置１によれば、制御部４は、１日分の使用回数を記憶した時にその使用回数の合計が所定位置以下の場合、この１日分の使用回数を使用回数記憶手段３０から削除するので、例えば、休日などで使用者が極端に少ない場合のデータを元に制御を行わない。そのため、より正確な時間枠に、除菌水の吐水を行うことができる。
【００７８】
さらに、上述した本発明の一実施形態による小便器装置１によれば、前日の使用回数の合計又は数日間の使用回数の合計に基づく値を、１日の使用回数を記憶するか否かの基準値とする。そのため、より正確な時間枠に除菌水の吐水を行うことができる。
【００７９】
また、上述した本発明の一実施形態による小便器装置１によれば、制御部４は、学習値リセットタイマによって、学習値が一定期間ごとに更新される。そのため、例えば１日の間に、突発的に大人数が小便器装置１を使用した場合、大人数が小便器装置１を使用した日の使用回数の合計が、学習値として記憶するか否かの基準値である所定値に反映されて学習データが更新されなくなることを抑制することができる。そのため、より正確な時間枠を記憶することができる。
【００８０】
さらに、上述した本発明の一実施形態による小便器装置１によれば、小便器装置１の電源投入後から２４時間が経過するまでの間においては、小便器装置１の電源投入後から連続して１日分の除菌水の吐水が行われる。そのため、例えば電源投入後から使用頻度が少ない場合に、洗浄装置の不使用時間枠に集中して除菌水の吐水を行うことができる。
＜変形例＞
以上、本発明の一実施形態について説明したが、本発明は、上述した実施形態に限定されるものではない。
【００８１】
例えば、洗浄装置としては、上述した実施形態で示した小便器装置に限定されず、大便器装置や、洗面所等で使用される水栓装置であってもよい。
【００８２】
また、例えば、小便器装置１の電源投入後から２４時間が経過するまでの間においては、小便器装置１の電源投入後から連続して１日分の除菌水の吐水を行う構成を説明したが、小便器装置１の電源投入後から１日（２４時間）分の使用回数を記憶するまでの間において、一定時間毎に除菌水の洗浄を行うようにしてもよい。
具体的には、電源投入後から２つの時間枠ごとに除菌水の吐水を行う。（例えば、図３における偶数あるいは奇数の時間枠）。この構成によれば、例えば電源投入後から１日の使用頻度が不定の場合に、１日にまんべんなく除菌水の吐水を行うことができる。
【００８３】
また、例えば、所定値は、現在学習値に使用している日の使用回数の合計に基づいて算出される値とする構成を説明したが、数日間の使用回数の合計に基づいて算出される値としてもよい。数日間の使用回数の合計に基づいて算出される値とは、数日間の使用回数の平均や分散、標準偏差などの統計値も含まれる。
【００８４】
また、例えば、洗浄装置の時間枠ごとの使用回数に関する数日分のデータが溜まった後、数日分の統計値から学習値を算出するように制御を切り替えてもよい。
【００８５】
また、例えば、人体検知センサはマイクロ波などの高周波センサを使用する構成を説明したが、赤外線センサや、その他のセンサを用いてもよい。
【００８６】
また、例えば、除菌水の吐水時間は約７０秒間で設定している構成を説明したが、この時間は適宜設定されてもよい。
【００８７】
また、例えば、１日（２４時間）を２時間の時間枠ごとに区分する構成を説明したが、１日（２４時間）が等間隔に区分されていればよく、例えば、１日（２４時間）を３時間の時間枠ごとに区分してもよい。
【００８８】
前述した各実施の形態が備える各要素は、技術的に可能な限りにおいて組み合わせることができ、これらを組み合わせたものも本発明の特徴を含む限り本発明の範囲に包含される。
【符号の説明】
【００８９】
１    小便器装置（洗浄装置）
２    人体検知センサ
４    制御部
６    吐水部
８    ボウル部
１０    給水源
１２    給水路
１４    トラップ部
１６    排水路
１８    排水口
２０    送信部
２２    受信部
２４    検出信号生成部
２６    信号受信手段
２８    洗浄水自動吐水手段
３０    使用回数記憶手段
３２    比較手段
３４    動作時間枠記憶手段
３６    除菌水自動吐水手段
３８    洗浄水側電磁弁
４０    洗浄水側吐水部
４２    除菌水側電磁弁
４４    電解槽
４６    除菌水側吐水部（第二洗浄水側吐水部）
【図１】
2017043993.tif 000003
【図２】
2017043993.tif 000004
【図３】
2017043993.tif 000005
【図４】
2017043993.tif 000006
【図５】
2017043993.tif 000007
【図６】
2017043993.tif 000008
【図７】
2017043993.tif 000009